(57)【要約】      （修正有）【課題】低コストでありながら装着と使用が容易な車椅子用足こぎ補助具を、提供する。【解決手段】車椅子用足こぎ補助具は、車椅子に取り付け可能な車椅子用足こぎ補助具であって、本体部２と、本体部の前方に取り付けられて、進行方向を決める前輪３と、本体部の後方に取り付けられて、駆動力を受けて回転する後輪４と、後輪に駆動力を与え、使用者の足で漕がれるペダル５と、前輪の方向制御を制御する操作ハンドル６と、本体部を、車椅子のフレームに取り付け可能な取付け具７と、を備える。ペダルが漕がれることで、後輪は、車椅子の車輪と共に接地面に対して回転して、車椅子が走行できる。【選択図】図２
0003212975.tif 000002
【実用新案登録請求の範囲】
【請求項１】
車椅子に取り付け可能な車椅子用足こぎ補助具であって、
本体部と、
前記本体部の前方に取り付けられて、進行方向を決める前輪と、
前記本体部の後方に取り付けられて、駆動力を受けて回転する後輪と、
前記後輪に駆動力を与え、使用者の足で漕がれるペダルと、
前記前輪の方向制御を制御する操作ハンドルと、
前記本体部を、前記車椅子のフレームに取り付け可能な取付け具と、を備え、
前記ペダルが漕がれることで、前記後輪は、前記車椅子の車輪と共に接地面に対して回転して、前記車椅子が走行できる、車椅子用足こぎ補助具。
【請求項２】
前記ペダルと前記後輪とは、伝達部材で接続されており、前記伝達部材は、前記ペダルの回転を、前記後輪に伝達して前記後輪を回転させる、請求項１記載の車椅子用足こぎ補助具。
【請求項３】
前記後輪は、前記車輪と一緒に接地面に接地する、請求項１または２記載の車椅子用足こぎ補助具。
【請求項４】
前記本体部は、前記車椅子の着座部の下に挿入されて、前記車椅子のフレームに取り付けられる、請求項１から３のいずれか記載の車椅子用足こぎ補助具。
【請求項５】
前記ペダルは、前記本体部の両側面に接続し、前記車椅子に着座する使用者の足の位置に対応する、請求項１から４のいずれか記載の車椅子用足こぎ補助具。
【請求項６】
前記ペダルは、その回転を停止させる停止機構を有する、請求項１から５のいずれか記載の車椅子用足こぎ補助具。
【請求項７】
前記操作ハンドルは、前記前輪と接続されており、前記操作ハンドルが回動することで、前記前輪は、進行角度を変化させる、請求項１から６のいずれか記載の車椅子用足こぎ補助具。
【請求項８】
前記取付け具は着脱可能なベルトであり、前記ベルトは、前記車椅子のフレームに取り付けられて前記本体部を固定する、請求項１から７のいずれか記載の車椅子用足こぎ補助具。
【請求項９】
前記前輪および前記後輪の少なくとも一方は、その回転を停止させる停止機構を有する、請求項１から８のいずれか記載の車椅子用足こぎ補助具。
【請求項１０】
前記停止機構は、前記本体部が前記取付け具によって前記車椅子に取り付けられる作業中に、停止を実現する、請求項９記載の車椅子用足こぎ補助具。
【考案の詳細な説明】
【技術分野】
【０００１】
本考案は、車椅子に後付できて、車椅子の使用者が足こぎによって車椅子を走行させることのできる車椅子用足こぎ補助具に関する。
【背景技術】
【０００２】
事故や病気などによって、足の身体能力の衰えた人がいる。あるいは、近年の高齢化に伴って足腰が弱り、自身で歩行を行うことが困難となっている高齢者も増加している。このように、種々の要因で、足腰が弱って自力での歩行が困難となっている歩行困難者が増加する傾向にある。
【０００３】
このような歩行困難者は、車椅子を使用することが多い。一時的な歩行困難状態であっても、継続的な歩行困難状態であっても、車椅子を使用することで、歩行困難者の行動範囲が広がり、生活レベルの維持を実現しやすくなる。自動走行できる車椅子もあるが、歩行困難者の身体能力、経済力、使用場所などの観点から、手動の車椅子が使用されることも非常に多い。
【０００４】
手動の車椅子は、駆動輪である大型の一対の車輪と、方向切り替えに用いられる前方の補助輪とを備える。これらに加えて、歩行困難者が着座する着座部とを備え、車椅子を使用する歩行困難者は、着座部に着席した状態で、この車輪を手で回転させる。車輪の外側の操作輪を把持して回転させることで、歩行困難者は車輪を回転させることができる。
【０００５】
ここで、操作輪を手で把持して回転させることは、歩行困難者にとっては非常に重労働である。操作輪を回転させるには、手の握力、腕力などが必要である上に、車椅子での移動量が大きくなれば、操作輪の操作量も大きくなってしまう。この場合には、運動量が大きくなり、歩行困難者にとっては非常に重労働である。歩行困難者は、歩行が困難となっているだけでなく、筋力、体力が落ちていることが多く、操作輪を長時間操作することが難しい状況にある。
【０００６】
また、車椅子での移動において細かな動きをするためには、操作輪を細かく操作する必要がある。このような操作輪を細かく動作させることも、歩行困難者にとっては、非常に厳しいものがある。
【０００７】
特に、高齢者や病気によって歩行困難となった歩行困難者の中には、腕力や体力の落ちている人も多く、操作輪の細かな操作や長時間の操作が、非常に難しいものとなっている。
【０００８】
このような操作の難しさや負荷があることで、車椅子による外出を拒むようになる傾向もあり、歩行困難者がひきこもりになってしまう問題にもつながりかねない。この場合には、歩行困難者が、歩行困難から更に寝たきりなどの状態につながりかねず、本人、家族、社会にとって好ましくない状態がある。
【０００９】
一方で、歩行困難者は、二足歩行による歩行が困難であるものの、足の動作自由を全く残していないわけでもないことが多い。二足歩行は困難であるが、足を動かすことはできることも多い。当然ながら、移動のための動作において、手を使うよりも足を使うほうが、持久力も長く持つことが多い。体力的にも楽であることが多い。
【００１０】
また、歩行困難者で手の動作も不自由となっている人もあり、この場合には、手動の車椅子を使用することが困難である。
【００１１】
このような、手の動作が不自由、あるいは手を使った動作による体力等の厳しさなどの観点から、自動走行の車椅子を使用することも考えられる。しかしながら、このような自動走行の車椅子は非常に高価である。また、蓄電池などを動力源とすることで、充電に時間が掛かり、充電されていないと自動車椅子を使用できないとの問題もある。
【００１２】
このような観点から、足の動作を用いた足こぎの車椅子が提案されている。上述のように、足の動作であれば、体力的な面での対応が可能となりえるからである。
【００１３】
例えば、足こぎ機構が組み込まれた技術が提案されている（例えば、特許文献１、特許文献２参照）。あるいは、足こぎ機構を後付で組み付ける車椅子の技術が提案されている（例えば、特許文献３参照）。
【先行技術文献】
【特許文献】
【００１４】
【特許文献１】特開２０１２−２２３５２７公報
【特許文献２】特開２０１０−２５９５１７号公報
【特許文献３】特開２０１６−４３２２５号公報
【考案の概要】
【考案が解決しようとする課題】
【００１５】
特許文献１は、足漕ぎによる前進方向及び後進方向の回転動力が伝達される一つの前輪たる駆動車輪と、該駆動車輪と対の関係をなすもう一つの前輪たる遊動車輪と、該駆動車輪及び該遊動車輪とは別に設けられた操舵可能な一つの操舵車輪とを備えてなり、小旋回により進行方向を１８０度変換するに際し、一方向旋回時には操舵車輪を一方向に大きく操舵して駆動車輪に前進回転を与えて行うと共に、他方向旋回時には操舵車輪を一方向に大きく操舵する態様と他方向に大きく操舵する態様とを選択して駆動車輪に後進回転を与えて行うようにした三輪型足漕ぎ式車椅子とすることにより達成する三輪型足漕ぎ式車椅子を、開示する。
【００１６】
特許文献２は、基礎フレームと左右から基礎フレームに組み込まれる側方フレームとからなり、一方の側方フレームは遊動車輪を支承し、他方の側方フレームは駆動軸及び駆動車輪を支承し、基礎フレームに支承した足漕ぎクランクをペダル操作して駆動車輪に伝動する。一方、基礎フレームに支承した操舵車輪を操舵することにより所望の旋回をすることができる三輪型足漕ぎ式車椅子を、開示する。
【００１７】
特許文献３は、ベースフレームの前方に設けられた立ち上がり部のほぼ中央にペダル軸をもうけ、回転動力伝達手段を介して、ペダル軸の回転により、ベースフレームに後方に取り付けた駆動輪を回転させる機構と、立ち上がり部に取り付けられた操舵輪支持部を介して設けられた操舵輪により走行方向を変える機構とを有する足漕ぎ装置に、在来の車椅子に着脱させるための着脱手段を設ける。該着脱手段には、車椅子の高さや幅に適合させるための調整機構と、操舵輪を操作するためのハンドルの位置を、前後に調整するための調整固定手段を設ける足漕ぎ装置を開示する。
【００１８】
特許文献１、２は、足こぎできる前輪を有した三輪車型の車椅子によって、手だけではなく、足こぎもできることで、使用者である歩行困難者の体力的な負担を軽減することを目的としている。
【００１９】
しかしながら、特許文献１、２の車椅子は、予め三輪車としての機構と要素を有していうることで、非常に大型化する。また、着座部や車輪なども専用のものとなる必要があり、非常に高価となる。歩行困難者やこれの支援施設などにとっては、導入が難しい問題があった。
【００２０】
特許文献３の技術は、後付できるが、車椅子の前後に突き出る前輪と後輪を備えており、取付け後に非常に大型化する。加えて、取付けが大変である問題がある。また、取り付ける際に車輪が動いてしまったり、取り付けた後で、駆動輪が変わってしまったりして、操作感覚が悪いなどの問題もある。
【００２１】
加えて、特許文献１〜３の技術では、補助具のみで自立できない問題がある。自立できないと、事後的に車椅子に装着する作業が難しくなる問題もある。
【００２２】
本考案は、これらの問題を解決し、低コストでありながら装着と使用が容易な車椅子用足こぎ補助具を、提供することを目的とする。
【課題を解決するための手段】
【００２３】
上記課題に鑑み、本考案の車椅子用足こぎ補助具は、車椅子に取り付け可能な車椅子用足こぎ補助具であって、
本体部と、
本体部の前方に取り付けられて、進行方向を決める前輪と、
本体部の後方に取り付けられて、駆動力を受けて回転する後輪と、
後輪に駆動力を与え、使用者の足で漕がれるペダルと、
前輪の方向制御を制御する操作ハンドルと、
本体部を、車椅子のフレームに取り付け可能な取付け具と、を備え、
ペダルが漕がれることで、後輪は、車椅子の車輪と共に接地面に対して回転して、車椅子が走行できる。
【考案の効果】
【００２４】
本考案の車椅子用足こぎ補助具は、市販として流通している一般の車椅子に後付で取り付けることができる。後付で取り付けることができるので、コストも低減できる。
【００２５】
また、装着が容易であり、様々な歩行困難者にとって適用が容易である。加えて、着座したまま取付けが可能で、取付け時に車椅子が動き出すなどの問題も軽減でき、安全性も高い。
【図面の簡単な説明】
【００２６】
【図１】本考案の実施の形態における車椅子用足こぎ補助具が装着された車椅子の斜視図である。
【図２】本考案の実施の形態における車椅子用足こぎ補助具の側面図である。
【図３】本考案の実施の形態における車椅子用足こぎ補助具の写真である。
【図４】本考案の実施の形態における車椅子用足こぎ補助具を取り付けようとする状態を示す写真である。
【図５】本考案の実施の形態における車椅子用足こぎ補助具を車椅子のフレームに装着する作業を示す写真である。
【図６】本考案の実施の形態における車椅子用足こぎ補助具を車椅子のフレームに装着する作業を示す写真である。
【図７】本考案の実施の形態における車椅子用足こぎ補助具が取り付けられた車椅子の写真である。
【図８】本考案の実施の形態におけるとりつけられた車椅子用足こぎ補助具のペダルの上に、使用者の足が載置される作業を示す写真である。
【図９】本考案の実施の形態におけるとりつけられた車椅子用足こぎ補助具のペダルの上に、使用者の足が載置される作業を示す写真である。
【図１０】本考案の実施の形態における使用者による足こぎの状態を示す写真である。
【図１１】本考案の実施の形態の車椅子用足こぎ補助具が装着された車椅子の後方からの写真である。
【図１２】本考案の実施の形態における操作ハンドルを操作する状態を示す写真である。
【考案を実施するための形態】
【００２７】
本考案の第１の考案に係る車椅子用足こぎ補助具は、車椅子に取り付け可能な車椅子用足こぎ補助具であって、
本体部と、
本体部の前方に取り付けられて、進行方向を決める前輪と、
本体部の後方に取り付けられて、駆動力を受けて回転する後輪と、
後輪に駆動力を与え、使用者の足で漕がれるペダルと、
前輪の方向制御を制御する操作ハンドルと、
本体部を、車椅子のフレームに取り付け可能な取付け具と、を備え、
ペダルが漕がれることで、後輪は、車椅子の車輪と共に接地面に対して回転して、車椅子が走行できる。
【００２８】
この構成により、車椅子に事後的に装着可能であり、装着後においては、使用者が、着座したまま足で車椅子を走行させることができる。腕力の衰えなどの問題のある使用者であっても、補助者なしで、車椅子での移動ができる。
【００２９】
本考案の第２の考案に係る車椅子用足こぎ補助具では、第１の考案に加えて、ペダルと後輪とは、伝達部材で接続されており、伝達部材は、ペダルの回転を、後輪に伝達して後輪を回転させる。
【００３０】
この構成により、ペダルをこぐだけで、後輪および車椅子の車輪を回転させることができる。
【００３１】
本考案の第３の考案に係る車椅子用足こぎ補助具では、第１または第２の考案に加えて、後輪は、車輪と一緒に接地面に接地する。
【００３２】
この構成により、ペダルを通じて後輪が回転すれば、車椅子の車輪も回転できる。
【００３３】
本考案の第４の考案に係る車椅子用足こぎ補助具では、第１から第３のいずれかの考案に加えて、本体部は、車椅子の着座部の下に挿入されて、車椅子のフレームに取り付けられる。
【００３４】
この構成により、車椅子用足こぎ補助具は、容易かつ確実に、車椅子に装着できる。
【００３５】
本考案の第５の考案に係る車椅子用足こぎ補助具では、第１から第４のいずれかの考案に加えて、ペダルは、本体部の両側面に接続し、車椅子に着座する使用者の足の位置に対応する。
【００３６】
この構成により、使用者は簡単にペダルをこぐことができる。
【００３７】
本考案の第６の考案に係る車椅子用足こぎ補助具では、第１から第５のいずれかの考案に加えて、ペダルは、その回転を停止させる停止機構を有する。
【００３８】
この構成により、装着時にペダルが不意に動き出すことが無く、安全性が高まる。
【００３９】
本考案の第７の考案に係る車椅子用足こぎ補助具では、第１から第６のいずれかの考案に加えて、操作ハンドルは、前輪と接続されており、操作ハンドルが回動することで、前輪は、進行角度を変化させる。
【００４０】
この構成により、使用者は手での簡単な操作によって、移動方向を切り替えることができる。
【００４１】
本考案の第８の考案に係る車椅子用足こぎ補助具では、第１から第７のいずれかの考案に加えて、取付け具は着脱可能なベルトであり、ベルトは、車椅子のフレームに取り付けられて本体部を固定する。
【００４２】
この構成により、固定が適切に行える。
【００４３】
本考案の第９の考案に係る車椅子用足こぎ補助具では、第１から第８のいずれかの考案に加えて、前輪および後輪の少なくとも一方は、その回転を停止させる停止機構を有する。
【００４４】
この構成により、装着時に不意に動き出す心配がなく、安全性が高まる。
【００４５】
本考案の第１０の考案に係る車椅子用足こぎ補助具では、第９の考案に加えて、停止機構は、本体部が取付け具によって車椅子に取り付けられる作業中に、停止を実現する。
【００４６】
この構成により、装着時の安全性が高まる。
【００４７】
以下、図面を参照しながら、本考案の実施の形態を説明する。
【００４８】
（実施の形態）
【００４９】
（全体概要）
実施の形態における車椅子用足こぎ補助具の全体概要を説明する。図１は、本考案の実施の形態における車椅子用足こぎ補助具が装着された車椅子の斜視図である。図２は、本考案の実施の形態における車椅子用足こぎ補助具の側面図である。
【００５０】
車椅子１００は、図１に示されるように、着座部１０２、背面１０１、車輪１０３などを備えている。これに、介助者が押す操作部１０４など必要な要素が備わっている。車椅子１００は、市販されていたり、病院や介護施設などで貸し出されたりする一般的なものである。
【００５１】
従来技術で説明したように、このような一般的な車椅子１００は、車輪１０３の外側に設けられている把持部１０５を操作して、車輪１０３を回転させて使用する。車椅子１００の着座部１０２に着座している使用者自身が、把持部１０５を回転させて、車輪１０３を回転させる。車椅子１００を必要とする使用者自身が、車椅子１００を走行させる。
【００５２】
しかしながら、歩行が困難である使用者は、腕力や手の力も弱まっていたり、不自由であったりすることが多い。この場合に、介助者が操作部１０４を押して車椅子１００を走行させるのは、介助者の負担や経済的な問題もある。
【００５３】
車椅子用足こぎ補助具１は、このような状況に対応して、車椅子１００に装着されて使用される。
【００５４】
車椅子用足こぎ補助具１は、本体部２、前輪３、後輪４、ペダル５、操作ハンドル６、取付け具７と、を備える。本体部２は、車いす用足こぎ補助具１の全体の骨格を形成する。すなわち、フレームのような要素である。本体部２に、種々の要素が接続している。
【００５５】
前輪３は、本体部２の前方に取り付けられる。図２では、前輪３が本体部２の前方に取り付けられている状態が示されている。前輪３が本体部２の前方に取り付けられることで、図１のように、車椅子用足こぎ補助具１が車椅子１００に装着されると、全体での前方に、前輪３が位置するようになる。全体の前方に前輪３が位置することで、前輪３は、足こぎでの進行方向を作ることができるようになる。
【００５６】
後輪４は、本体部２の後方に取り付けられる。図１では、車椅子１００に隠れて見えないが、図２において、本体部２の後方に後輪４が取り付けられているのが分かる。後輪４は、車椅子用足こぎ補助具１の駆動を行う動輪であり、ペダル５が漕がれると回転して、車椅子１００を走行させることができるようになる。
【００５７】
後輪４は、駆動する動輪となるので、前輪３よりも径が大きいことも好適である。径が大きいことで走行が容易となりつつ、小さな足こぎの力でも進むようになるかである。また、前輪３が小さいことで、前輪３が、走行方向のコントロールに適するようになる。
【００５８】
ペダル５は、後輪４に駆動力を与える。着座部１０２に着座する使用者が、足でペダル５を漕ぐ。このペダル５が漕がれると、この駆動力が後輪４に伝わる。例えば、自転車のようにベルトやチェーンに歯車が組み合わされることで、ペダル５が漕がれた回転力が、後輪４に伝わる。後輪４に回転力が伝わると、この駆動力によって、後輪４が回転する。回転によって、進むようになる。
【００５９】
ペダル５は、着座部１０２に着座した使用者の足がちょうど当たる場所にある。使用者は、着座部１０２に着座した状態で、ペダル５を漕ぐことができる。ペダル５であるので、足で漕げばよく、腕力や手の力が衰えている使用者や手に不自由のある使用者であっても、足で漕ぐだけで簡単に車椅子１００を走行させることができる。
【００６０】
操作ハンドル６は、前輪３の方向を制御する。図１、図２では、操作ハンドル６は、本体部２に取付けられている。このとき、操作ハンドル６は、着座部１０２に着座した使用者が、着座状態のまま、手で操作できるように、上方に伸びていることが好ましい。また、片手でも操作できるように図１、２のように一つの把持部が突出しており、これを片手で回動させることで、走行方向を変化させることができる。
【００６１】
また、操作ハンドル６は、前輪３に接続しており、操作ハンドル６を回動させることで、前輪３の向きが変わる。使用者はペダル５を漕ぎながら後輪４を回転させ、操作ハンドル６を操作しながら前輪３の向きを変える。これらの結果、着座したままの状態で、足こぎによって車椅子１００を走行させつつ、所望の方向に進ませることができる。
【００６２】
また、後輪４は車椅子１００の車輪１０３と共に床面（地面）に接地している。このため、ペダル５が漕がれると、後輪４が車輪１０３と共に接地面に対して回転して、車椅子１００が走行できる。
【００６３】
取付け具７は、本体部２を車椅子１００のフレーム１０６に取り付け可能である。取付け具７が、事後的に車椅子１００のフレーム１０６に取り付け可能であることで、車椅子用足こぎ補助具１が、一般の車椅子１００に取り付けられるようになる。
【００６４】
取付け具７によって本体部２が車椅子１００に取り付けられると、車椅子１００に着座した使用者が、着座したままで車椅子１００を足こぎで走行させることができる。また、取付け具７で取り付け可能であることで、必要な場合だけ、取り付けることができる。不要な場合には、取り付けなければ、車椅子１００は、そのままで使用される。
【００６５】
（前輪）
前輪３は、上述した通り、本体部２の前方についており回転しながら走行すると共に、操作ハンドル６による操作で、走行方向を切り替える。操作ハンドル６を右方向に向ければ、前輪３も右方向に向く。この右方向に向いた状態となることで、車椅子１００は、右方向に進むようになる。
【００６６】
操作ハンドル６と前輪３とが直接つながっていることで、操作ハンドル６の操作が、ダイレクトに前輪３に伝わる。もちろん、操作ハンドル６の力を増加させて前輪３に伝える構造であることも好適である。
【００６７】
前輪３および後輪４の少なくとも一方は、回転を停止させる停止機構を備えることも好適である。前輪３や後輪４の外側を止めるストッパーや、内側から止めるストッパーなどがあればよい。あるいは、プランジャー操作によって、ペダル５の回転が、前輪３や後輪４に伝わらない構造であってもよい。
【００６８】
使用者が、走行をせずに位置を保ちたい場合に、この停止機構が使用されればよい。あるいは、車椅子用足こぎ補助具１を車椅子１００に取り付ける最中に、停止機構が使用されればよい。後者の場合には、停止機構によって前輪３あるいは後輪４が停止していることで、取付けの際に、不意に動き出すことがなく、使用者にとっても補助者にとっても安心だからである。
【００６９】
すなわち、停止機構は、本体部２が取付け具７によって車椅子１００に取り付けられる作業中に、停止を実現すればよい。この停止の実現によって、使用者や補助者の安全が実現できる。
【００７０】
（後輪）
後輪４は、上述した通り、ペダル５が漕がれることで回転して、車椅子１００を走行させる。
【００７１】
車椅子用足こぎ補助具１が車椅子１００に取り付けられると、後輪４は、車椅子１００の車輪１０３と共に、接地面に接地する。床面や地面などの接地面である。一緒に接地することで、後輪４が回転すると、後輪４と車輪１０３との両方が一緒に回転する。この一緒の回転により、使用者が着座した状態で車輪１０３と後輪４とが回転して、車椅子１００をスムーズに進めることができる。
【００７２】
ペダル５と後輪４とは、伝達部材で接続されている。伝達部材は、ペダル５の回転を後輪４に伝達する。この伝達によって、ペダル５の回転駆動力が、後輪４を回転駆動させる。伝達部材は、チェーンやベルトなどであればよい。
【００７３】
後輪４は、車輪１０３と一緒に接地面に接地する。この接地により、ペダル５から与えられた駆動力によって、後輪４が回転する。この回転において、後輪４と車輪１０３とが一緒に接地面において回転し、車椅子１００の走行駆動を実現する。特に、車輪１０３と一緒に回転することで、より高い駆動力を実現でき、使用者にとって楽である。
【００７４】
（本体部）
本体部２は、車椅子用足こぎ補助具１の全体骨格を形成する。車椅子１００に取り付けられる際の基礎部分となる。このため、本体部２は、十分な強度と耐久性を有していることが好ましい。また、後輪４とペダル５とをつなぐ伝達部材を、その内部に収容していることも好ましい。
【００７５】
本体部２は、車椅子１００の着座部１０２の下に挿入されて、車椅子１００のフレーム１０６に取り付けられる。着座部１０２の下に挿入されて装着されることで、足こぎとしての機能を発揮できる。また、車椅子１００の足こぎでの走行を実現できる。
【００７６】
（取付け具）
取付け具７は、車椅子１００のフレーム１０６に取り付けられる。例えば、取付け具７は、着脱可能なベルトであり、ベルトがフレーム１０６に取り付けられて、本体部２を固定することでもよい。ベルトであることで、取付けや取り外しが容易となるからである。
【００７７】
あるいは、取付け具７は、金具などによる装着可能な部材でもよい。
【００７８】
（ペダル）
ペダル５は、本体部２の両側面に接続して取り付けられる。車椅子１００の着座部１０２に着座する使用者が、足を前に置いた位置に対応する位置に、ペダル５がある。
【００７９】
使用者は、着座した状態で、足を自然なレベルで伸ばすとペダル５に足が載る。この足が載ることで、ペダル５を簡単に漕ぐことができる。
【００８０】
ペダルは、足を受ける構造を有することで、簡単に漕ぐことができる。また使用者の肉体的な衰えに対応して、ペダル５には、載せた足を留める留め具が備わっていることも好適である。
【００８１】
また、ペダル５は、回転を停止させる停止機構を有することも好適である。例えば、取付け具７によって車椅子用足こぎ補助具１を車椅子１００に取り付ける際に、この停止機構によってペダル５の回転が停止する。車椅子１００に取り付ける際にペダル５の回転が停止していることで、使用者が不意にペダル５を漕いでしまって、取付けの際の危険性が防止できる。
【００８２】
（操作ハンドル）
操作ハンドル６は、図２のように上に突出しており、着座している使用者が着座した状態のままで操作できる。
【００８３】
ここで、操作ハンドル６は、前輪３と接続されており、操作ハンドル６が回動すると、それに合わせて前輪３も回動して向きを変える。この結果、進行角度が変化できる。
【００８４】
以上のように、本考案の車椅子用足こぎ補助具１は、事後的に車椅子１００に取り付けが可能であり、取り付けられた後で、使用者が足でペダル５を漕ぎながら車椅子１００を走行させることができる。
【００８５】
（動作説明）
本考案の車椅子用足こぎ補助具１の動作について説明する。図３は、本考案の実施の形態における車椅子用足こぎ補助具の写真である。実際に製作された一例の車椅子用足こぎ補助具の側面からの写真である。
【００８６】
図４は、本考案の実施の形態における車椅子用足こぎ補助具を取り付けようとする状態を示す写真である。図４の写真のように、車椅子に使用者が着座した状態で、車椅子用足こぎ補助具が取り付けられる。
【００８７】
図５は、本考案の実施の形態における車椅子用足こぎ補助具を車椅子のフレームに装着する作業を示す写真である。既述したように、取付け具７は、ベルトなどの構成を有している。図５の写真には、取付け具としてベルトが示されている。補助者などが、ベルトを、車椅子のフレームに取り付ける。ベルトには、固着具が備わっており、この固着具などによって、ベルトがフレームに固定される。
【００８８】
なお、車椅子には、骨格用のフレームが備わっており、このフレームに取り付けられれば良い。
【００８９】
図６は、本考案の実施の形態における車椅子用足こぎ補助具を車椅子のフレームに装着する作業を示す写真である。図５の作業に続いて、反対側のフレームにも、取付け具が取り付けられる。この取付けによって、車椅子用足こぎ補助具１が、車椅子に確実に取り付けられる。
【００９０】
図７は、本考案の実施の形態における車椅子用足こぎ補助具が取り付けられた車椅子の写真である。取付けの終わった車椅子の斜視状態の写真が示されている。図５、図６の作業を経て、車椅子に車椅子用足こぎ補助具が取り付けられる。この取付けの完了により、使用者は、足こぎにより車椅子を使用できるようになる。
【００９１】
なお、図７は、取付け後の状態を分かり易くするために、使用者が着座していない状態を示しているが、実際には使用者が着座したまま取付けが完了する。
【００９２】
図８、図９は、本考案の実施の形態におけるとりつけられた車椅子用足こぎ補助具のペダルの上に、使用者の足が載置される作業を示す写真である。既述したように、車椅子用足こぎ補助具１は、ペダル５を備えている。本体部２の前方にペダル５が備わっているので、装着された後では、着座している使用者の足下に、ちょうどペダル５位置するようになる。
【００９３】
図８、図９は、補助者が、このペダルの上に使用者の足を載置する状態を示している。右足と左足のそれぞれを、ペダルの上に載置して、使用者がペダルをこぐことが可能となる状態となる。
【００９４】
また、図８、図９に示されるように、ペダルには足を固定するベルトが備わっていることも好適である。このベルトを足の外側に巻き付けて固定することで、ペダルに足が固定されるようになる。使用者は足腰の衰えなどがある。このような状態では、足が固定されていることが安心と安定に繋がる。
【００９５】
図１０は、本考案の実施の形態における使用者による足こぎの状態を示す写真である。図１０のように、使用者はペダルに載せた足を動かして、ペダルをこぐことができる。このペダルをこぐことで、使用者は、車椅子を走行させることができる。車椅子の走行は、車椅子の車輪を回すことと同様であり、使用者は、足の力を使って、車椅子を使用することができるようになる。
【００９６】
足の力で車椅子を漕ぐことは、車輪を手で操作して漕ぐよりも容易である。加えて、足を少しでも使用することで、衰えた足腰のトレーニングにもなるメリットがある。脳の活性化にもつながる。
【００９７】
図１１は、本考案の実施の形態の車椅子用足こぎ補助具が装着された車椅子の後方からの写真である。車椅子用足こぎ補助具は、フレームに固定されているので、後方からみても、しっかりと固定されている。この固定によって、使用者は、足でしっかりと漕いで走行させることができる。
【００９８】
図１２は、本考案の実施の形態における操作ハンドルを操作する状態を示す写真である。使用者は、手で操作ハンドルを操作して、走行方向を変化させることができる。操作ハンドルは、把持部が出ており、使用者は手でこれを把持するだけで、簡単に操作することができる。
【００９９】
以上のように、本考案の車椅子用足こぎ補助具は、足でペダルをこぐだけで、簡単に車椅子を走行させて移動することができる。
【０１００】
なお、実施の形態１〜２で説明された壁材固定装置は、本考案の趣旨を説明する一例であり、本考案の趣旨を逸脱しない範囲での変形や改造を含む。
【符号の説明】
【０１０１】
１    車椅子用足こぎ補助具
２    本体部
３    前輪
４    後輪  
５    ペダル
６    操作ハンドル
７    取付け具
１００    車椅子
１０１    背面
１０２    着座部
１０３    車輪
１０４    操作部
１０５    把持部
１０６    フレーム
【図１】
0003212975.tif 000003
【図２】
0003212975.tif 000004
【図３】
0003212975.tif 000005
【図４】
0003212975.tif 000006
【図５】
0003212975.tif 000007
【図６】
0003212975.tif 000008
【図７】
0003212975.tif 000009
【図８】
0003212975.tif 000010
【図９】
0003212975.tif 000011
【図１０】
0003212975.tif 000012
【図１１】
0003212975.tif 000013
【図１２】
0003212975.tif 000014